(57)【要約】  【課題】天板付き家具にカバーを取り付けるようにする際に、カバーを取り付けるための取付部を別に形成することなく、カバーを設けない天板付き家具と設計を共通化して設計コスト及び製造コストの低減を図る。  【解決手段】天板付き家具の複数の天板Ｔ間に形成したスリットＳを被覆するものであって、少なくとも前記スリットの開口上端面に係止される支持部材２と、前記支持部材２を取り付けた状態で前記スリットＳ内に配され該スリットＳを被覆する被覆部材３とを具備することを特徴とするカバー１を用意する。  【選択図】図７
2006167053.tif 000002
【特許請求の範囲】
【請求項１】
天板付き家具の天板に形成したスリットないし複数の天板間に形成したスリットを被覆するものであって、少なくとも前記スリットの開口上端面に係止される支持部材と、前記支持部材を取り付けた状態で前記スリット内に配され該スリットを被覆する被覆部材とを具備することを特徴とするカバー。
【請求項２】
前記支持部材が、前記スリットの開口上端面に係止されスリットの長手方向に沿って係止位置を変更可能な係止部と、前記スリットに対する幅方向の位置決めを行う位置決め部と、被覆部材に取り付けられて該被覆部材を支持する支持部とを有することを特徴とする請求項１記載のカバー。
【請求項３】
前記支持部材を対をなして設けているとともに、前記被覆部材の両端部に前記支持部材を取り付けてなるものであって、前記被覆部材の両端部に前記支持部材を取り付けた状態を維持しつつ前記支持部材が天板に対してスライド移動可能に前記支持部材を構成していることを特徴とする請求項２記載のカバー。
【請求項４】
前記支持部材が、前記被覆部材の両端部及び前記被覆部材側方の空間を上方空間から隠蔽する上カバー部をさらに有することを特徴とする請求項３記載のカバー。
【請求項５】
前記係止部が前記上カバー部としての機能を有することを特徴とする請求項４記載のカバー。
【請求項６】
前記被覆部材が、弾性変形可能な軟質部を具備することを特徴とする請求項１、２、３、４又は５記載のカバー。
【請求項７】
前記被覆部材が、前記スリットの幅方向中央部に配される本体と、この本体から前記スリットの幅方向両端に向けて突出して設けた前記軟質部とを具備することを特徴とする請求項６記載のカバー。
【請求項８】
前記スリットの開口下端面に当接する第２係止部を有する抜け止め部材をさらに具備することを特徴とする請求項１、２、３、４、５、６又は７記載のカバー。
【請求項９】
前記スリットの両側端面に当接する第２係止部を有する抜け止め部材をさらに具備することを特徴とする請求項１、２、３、４、５、６又は７記載のカバー。
【請求項１０】
天板のスリットに面する端縁に切り欠きを有するとともに、この切り欠きの開口端を被覆しスリット内に突出する突出部材を有する天板付き家具に取り付けられるものであって、前記第２係止部を前記突出部材にも当接させてなることを特徴とする請求項９記載のカバー。
【発明の詳細な説明】
【技術分野】
【０００１】
本発明は、スリットを備える天板付き家具のスリットを被覆するカバーに関する。
【背景技術】
【０００２】
近年、情報化の進展に伴い、オフィス等において天板付き家具の天板上にパソコン等の情報機器を配置することが広く行われている。そこで、このような情報機器の電源ケーブルや情報ケーブルが天板上に散乱することを防ぐべく、天板に配線挿通用のスリットを設けた天板付き家具が考えられている。また、このようなテーブルの天板上に情報機器を配置しない場合において、見栄えを整えるべくカバーにより前記スリットを被覆することが考えられている。（例えば特許文献１参照。）
【特許文献１】特開２００１−１０４０８３号公報
【発明の開示】
【発明が解決しようとする課題】
【０００３】
ところで、特許文献１記載のカバーは、天板下方の脚支持体に取り付けるよう構成されているが、このような構成では、前記脚支持体にこのようなカバーを取り付けるための取付部を形成する必要が生じる。しかして、このような取付部は、上述したカバーを必要としない天板付き家具の脚支持体には不要であり、従って前記取付部は上述したカバーを必要とする天板付き家具の脚支持体にのみ形成されることとなる。すなわち、上述したカバーを必要とする天板付き家具と上述したカバーを必要としない天板付き家具とで脚支持体の設計を別々に行う必要が生じ、コストの上昇が引き起こされる不具合が存在する。
【０００４】
本発明は、このような課題を解決すべく構成するものである。
【課題を解決するための手段】
【０００５】
すなわち、本発明に係るカバーは、天板付き家具の天板に形成したスリットないし複数の天板間に形成したスリットを被覆するものであって、少なくともスリットの開口上端面に係止される支持部材と、前記支持部材を取り付けた状態で前記スリット内に配され該スリットを被覆する被覆部材とを具備することを特徴とする。
【０００６】
このようなものであれば、スリットを被覆する被覆部材を支持部材に支持させてから支持部材をスリットの開口上端面に係止させてカバーを取り付ける、すなわちこのカバーを前記スリットの開口上端面により支持させる態様を採用することができる。従って、天板付き家具の側にはカバーを取り付けるための取付部を別に形成する必要がなくなり、設計を共通化して設計コスト及び製造コストの低減を図ることができる。
【０００７】
スリットにオプション部材を取り付ける態様に好適に対応可能な構成として、前記支持部材が、スリットの開口上端面に係止されスリットの長手方向に沿って係止位置を変更可能な係止部と、スリットに対する幅方向の位置決めを行う位置決め部と、被覆部材に取り付けられて該被覆部材を支持する支持部とを有するものが挙げられる。このようなものであれば、例えばスリットの両端部からオプション部材の支柱を起立させて設ける場合に、支持部材をスライドさせて該オプション部材の支柱と干渉しないようにして該オプション部材の支柱を挿通可能にできる等、種々のスリットの利用形態に対応できるからである。
【０００８】
前段で述べたカバーを実現するための構成の一例として、前記支持部材を対をなして設けているとともに、前記被覆部材の両端部に前記支持部材を取り付けてなるものであって、前記被覆部材の両端部に前記支持部材を取り付けた状態を維持しつつ前記支持部材が天板に対してスライド移動可能な構成を有するものが挙げられる。
【０００９】
さらに、前記支持部材が、前記被覆部材の両端部及び前記被覆部材側方の空間を上方空間から隠蔽する上カバー部をさらに有するものであれば、支持部材をスライド移動させた際に前記被覆部材側方の空間が露出してしまい見栄えを損ねる不具合の発生を防ぐことができる。
【００１０】
特に、前記係止部が前記上カバー部としての機能を有するものであれば、少ない部品点数かつ簡単な構成でこのようなカバーを実現できる。
【００１１】
このようなスリット被覆カバーを装着したまま見栄えを損なわずにスリットを利用できるようにする態様として、前記被覆部材が、弾性変形可能な軟質部を具備するものが挙げられる。このようなものであれば、前記軟質部を弾性変形させて開口を設け、この開口から配線等を挿通させる態様を採用できる。
【００１２】
さらに、前記被覆部材が、前記スリットの幅方向中央部に配される本体と、この本体から前記スリットの幅方向両端に向けて突出して設けた前記軟質部とを具備するものであれば、見栄えを損なわずにスリットの両側から配線等を挿通させるようにすることができる。
【００１３】
また、このカバーが上方に抜脱する不具合の発生を防ぐことができる態様として、前記スリットの開口下端面に当接する第２係止部を有する抜け止め部材をさらに具備するものが挙げられる。
【００１４】
一方、このカバーが上方に抜脱する不具合の発生を防ぐことができる他の態様として、前記スリットの両側端面に当接する第２係止部を有する抜け止め部材をさらに具備するものも挙げられる。このように構成すれば、スリットの両側端面とこの抜け止め部材との間に摩擦が発生し、カバーの抜脱を防止できる。さらに、このように構成した場合、この抜け止め部材のスリットの幅方向に対する位置決めを行うことができる。
【００１５】
そして、前段で述べたような抜け止め部材のスリットの長手方向に対する位置決めを容易に行えるようにする態様として、天板のスリットに面する端縁に切り欠きを有するとともに、この切り欠きの開口端を被覆しスリット内に突出する突出部材を有する天板付き家具に取り付けられるものであって、前記第２係止部をスリットの両側端及び前記突出部材に当接させてなるものが挙げられる。
【発明の効果】
【００１６】
本発明に係るカバーは、スリットを被覆する被覆部材を支持部材に支持させてから支持部材をスリットの開口上端面に係止させてカバーを取り付ける、すなわちこのカバーを前記スリットの開口上端面により支持させる態様を採用できるので、天板付き家具の側にはカバーを取り付けるための取付部を別に形成する必要がなくなり、設計を共通化して設計コスト及び製造コストの低減を図ることができる。
【発明を実施するための最良の形態】
【００１７】
以下、本発明の一実施形態について図面を参照して説明する。
【００１８】
本実施形態に係るカバー１は、図１に示すような天板付き家具Ｔに用いられる。この天板付き家具Ｔは、２枚の天板Ｔ１と、これら天板Ｔ１を支持する脚構造体Ｔ２とを有する。また、前記２枚の天板Ｔ１の反使用端縁Ｔ１ｂを対向させ、これら天板Ｔ１の反使用端縁Ｔ１ｂ間に配線を挿通可能なスリットＳを形成している。
【００１９】
しかして本実施形態では、前記カバー１は、前記図１に示すように、前記スリットＳを被覆するものであって、少なくとも前記スリットＳの開口上端面に係止される支持部材２と、前記支持部材２を両端部に取り付けた状態で前記スリットＳ内に配され該スリットＳを被覆する被覆部材３と、前記スリットＳの開口下端面に当接する抜け止め部材４とを具備する。また、このカバー１は、前記支持部材２の取付位置を変更し全体の長手寸法を変更することが可能である。具体的には、前記支持部材２は、前記被覆部材３の端部近傍に位置する第１取付位置と、この第１取付位置から所定距離だけ内方に変位した第２取付位置とのいずれかに選択的に取付可能である。そして、図２に示すように、前記支持部材２を前記被覆部材３の両側の前記第２取付位置に取り付けた状態で、このカバー１の側方にオプション部材ＯＰの脚ＯＰ１を配置可能にしている。このカバー１の要部の斜視図を図３、分解斜視図を図４、平面図を図５、正面図を図６、図５におけるｘ−ｘ断面図を図７にそれぞれ示す。なお、前記図５及び図６において、（ａ）には支持部材２をともに第１取付位置に取り付けた状態、（ｂ）には支持部材２をともに第２取付位置に取り付けた状態をそれぞれ示している。また、前記図７においては、天板Ｔ１及び抜け止め部材４を想像線に示している。
【００２０】
前記支持部材２は、前記スリットＳの開口上端面に係止されスリットＳの長手方向に沿って係止位置を変更可能な係止部２１、この支持部材の側方を被覆する側カバー部２２、及び前記スリットＳに対する幅方向の位置決めを行う位置決め部２３を有する上支持部材２０と、前記上支持部材２０に固定され被覆部材３を支持する支持部たる下支持部材２４と、前記下支持部材２４の下方に取り付けられ前記スリットＳの開口下端面に当接する第２係止部２５ｘを有する抜け止め部材２５とを具備する。また、この支持部材２は、対をなして設けているとともに、対をなす支持部材２に前記被覆部材３の両端部をそれぞれ支持させるようにしている。前記上支持部材２０の全体斜視図を図８、平面図を図９の（ａ）、側面図を同図の（ｂ）、正面図を同図の（ｃ）、及び前記図９におけるａ−ａ断面図を図１０にそれぞれ示す。
【００２１】
前記係止部２１は、略矩形板状をなし、その両端縁部の下面が前記天板Ｔ１の反使用端縁Ｔ１ｂの上面、すなわち前記スリットＳの開口上端面に当接して係止されるとともに、前記被覆部材３の両端部及び前記被覆部材３側方の空間を上方空間から隠蔽する上カバー部としての機能を有する。
【００２２】
前記側カバー部２２は、前記係止部２１の一端縁から垂下して設けられ、この支持部材２及びこの支持部材２に支持される前記被覆部材３を側方空間から隠蔽する。
【００２３】
前記位置決め部２３は、前記側カバー部２２から突出して１対設けられているとともに、前記係止部２１の側端縁から所定距離だけ内方に変位した部位に配され、前記スリットＳの開口縁に当接してこの支持部材２の位置決めを行う。
【００２４】
前記下支持部材２４は、全体斜視図を図１１、平面図を図１２の（ａ）、側面図を同図の（ｂ）、正面図を同図の（ｃ）にそれぞれ示すように、棒状をなす下支持部材本体２４１と、この下支持部材本体２４１の一端部に幅寸法を拡大して形成した被取付部２４２とを有する。一方、前記上支持部材２０の前記側カバー部２２及び前記位置決め部２３により区画される領域に、前記被取付部２４２を挿入可能な形状の取付部２０１を形成している。そして、前記被取付部２４２にネジ挿通孔２４２ｘ、前記取付部２０１の前記ネジ挿通孔２４２ｘに対応する箇所に雌ねじ穴２０１ｘをそれぞれ形成していて、雄ネジを前記雌ねじ穴２０１ｘにネジ止めしてこの下支持部材２４を前記上支持部材２０に固定するようにしている。前記下支持部材本体２４１は、本実施形態では前記被覆部材３の被覆部材本体３１に挿入可能な形状を有する。そして、この下支持部材本体２４１には雌ネジ穴２４１ｘを設けていて、前記雌ネジ穴２４１ｘを前記被覆部材３の被覆部材本体３１に形成したネジ挿通孔３１ｘに重合させてネジ止めすることにより、前記被覆部材３を取り付けるようにしている。
【００２５】
一方、前記被覆部材３は、前記スリットＳの幅方向中央部に配される被覆部材本体３１と、この被覆部材本体３１を被覆するとともに前記スリットＳの幅方向両端に向けて突出した形状の軟質部３２とを具備する。
【００２６】
前記被覆部材本体３１は、全体斜視図を図１３、正面図を図１４の（ａ）、側面図を同図の（ｂ）、底面図を同図の（ｃ）にそれぞれ示すように、角パイプ状をなし、その両端部の内部に前記支持部材２の下支持部材２４を挿入可能に構成している。そして、本実施形態では、端部に上述した雌ネジ穴２４１ｘと重合可能なネジ挿通孔３１ｘを複数組形成していて、前記下支持部材２４の挿入深さが異なる複数箇所のうちいずれか1箇所において雌ネジ穴２４１ｘとネジ挿通孔３１ｘとを重合させて雄ねじ部材をネジ止めし、前記下支持部材２４の取付箇所を変更可能に、すなわち前記支持部材２を前記第１取付位置又は第２取付位置のいずれかに選択的に取付可能にすることにより、前記係止部２１の天板Ｔ１への係止位置を変更可能に構成している。そして、この被覆部材本体３１には、前記抜け止め部材４の固定に用いるべく雌ねじ孔３１ｙを形成している。
【００２７】
前記軟質部３２は、前記被覆部材本体３１よりも軟質な素材、本実施形態ではゴムを利用して形成している。この軟質部３２は、全体斜視図を図１５、正面図を図１６の（ａ）、側面図を同図の（ｂ）、底面図を同図の（ｃ）にそれぞれ示すように、前記被覆部材本体３１の上部及び両側部を被覆する被覆部３２１と、この被覆部３２１から幅方向両端に向けて突出して設けた配線挿通部３２２とを有する。そして、前記配線挿通部３２２が弾性変形することにより前記天板Ｔ１の反使用端Ｔ１ｂとの間に配線を挿通可能な配線挿通空間を形成可能である。
【００２８】
また、前記抜け止め部材４は、全体斜視図を図１７、平面図を図１８の（ａ）、側面図を同図の（ｂ）、正面図を同図の（ｃ）、及び中央横断面図を同図の（ｄ）にそれぞれ示すように、上方に開口するチャネル状をなし、前記被覆部材３の下方に取り付けられる。すなわち、この抜け止め部材４は、前記被覆部材３の前後両側面にそれぞれ当接する側壁４１と、前記被覆部材３の底面に当接する底壁４２とを具備するとともに、前記側壁４１及び底壁４２により区画される空間である開口部４ｓに前記被覆部材３を挿入してなる。加えて、前記底壁４２にはネジ挿通孔４２ｘを形成していて、前記ネジ挿通孔４２ｘを前記被覆部材本体３１の雌ねじ孔３１ｙに重合させた状態で該雌ねじ孔３１ｙに雄ねじ部材をネジ止めしてこの抜け止め部材４を固定するようにしている。そして、カバー１を天板付き家具Ｔに取り付けた状態で前記スリットＳの開口下端面に当接する第２係止部４ａを前記側壁４１から前後両面に突出させて設けている。
【００２９】
このカバー１の組み立て方法及び天板付き家具Ｔへの取付方法を述べる。
【００３０】
まず、前記被覆部材本体３１に前記軟質部３２を取り付けて被覆部材３を形成する。次いで、前記下支持部材２４の被取付部２４２を前記上支持部材２０の取付部２０１に係合させ、前記下支持部材２４を前記上支持部材２０に固定する。なお、先に前記下支持部材２４を前記上支持部材２０に固定してから前記被覆部材３を形成するようにしてももちろんよい。それから、前記下支持部材本体２４１を前記被覆部材本体３１に挿入し、ネジ止めしてこれら下支持部材２４と被覆部材３とを互いに固定する。その後、前記上支持部材２０、前記下支持部材２４、及び被覆部材３を互いに固定したものをスリットＳ上方に配し、前記係止部２１の両端縁部の下面を前記スリットＳの開口上端面に係止させた状態にする。そして、前記下支持部材２４の下方に、前記抜け止め部材４をネジ止めして取り付ける。ここで、このカバー１によりスリットＳの全域を被覆する場合には、前記支持部材２を前記被覆部材３の両端近傍の第１固定位置に固定する。一方、スリットＳの両端部にオプション部材ＯＰの脚ＯＰ１を挿通させる場合には、前記支持部材２を前記第１固定位置から前記被覆部材３の長手方向中央側に変位した第２個定位置に固定する。
【００３１】
このカバー１を天板付き家具Ｔから取り外して分解する際には、上述した手順の逆を順次行う。
【００３２】
以上に述べたように、本実施形態では、天板付き家具Ｔの天板Ｔ１間に形成したスリットＳを被覆するカバー１に、少なくともスリットＳの開口上端面に係止される支持部材２と、前記支持部材２に支持されて前記スリットＳ内に配され該スリットＳを被覆する被覆部材３とを具備させているので、前記被覆部材３を支持部材２に支持させてから支持部材２をスリットＳの開口上端面に係止させてカバー１を取り付ける態様を採用できる。従って、脚構造体Ｔ２にカバー１を取り付けるための取付部を形成する必要がなく、このようなカバー１を必要としない天板付き家具と設計及び部品の共通化を図ることができる。すなわち、設計コスト及び製造コストの低減を図ることができる。
【００３３】
また、前記支持部材２が、スリットＳの開口上端面に係止されスリットＳの長手方向に沿って係止位置を変更可能な係止部２１と、スリットＳに対する幅方向の位置決めを行う位置決め部２３と、被覆部材３を支持する支持部たる下支持部材２４とを有するので、スリットＳの両端部からオプション部材ＯＰの支柱ＯＰ１を起立させて設ける場合に、支持部材２をスライドさせて該オプション部材ＯＰの支柱ＯＰ１と干渉しないようにして該オプション部材ＯＰの支柱ＯＰ１を挿通可能にできる。すなわち、スリットＳにオプション部材ＯＰを取り付ける態様に好適に対応できる。
【００３４】
さらに、前記支持部材２をこのカバー１の両端部に対をなして設け、前記被覆部材３の両端部を前記支持部材２に支持させているとともに、前記支持部材２が、前記支持部２３により前記被覆部材３を支持させている状態を維持しつつ天板Ｔ１に対してスライド移動可能な構成を有するので、前記支持部材２のスライド移動によりこのカバー１の側方に前記オプション部材の支柱を挿通可能な空間を形成できる。
【００３５】
さらに、前記支持部材２の前記係止部２１が、前記被覆部材３の両端部及び前記被覆部材３側方の空間を上方空間から隠蔽する上カバー部としての機能を有するので、支持部材２をスライド移動させた際に前記被覆部材３側方の空間が露出してしまい見栄えを損ねる不具合の発生を防ぐことができる。
【００３６】
そして、抜け止め部材４の第２係止部４ｘがスリットＳの開口下端面に当接することにより、このカバー１が上方に抜脱する不具合の発生を防ぐことができる。
【００３７】
なお、本発明は以上に述べた実施の形態に限られない。
【００３８】
例えば、上述した上支持部材と、下支持部材と、被覆部材とを一体に形成する態様を採用してもよい。このような態様を採用しても、上支持部材の係止部に相当する部分をスリットの上開口端面に係止することにより、天板付き家具の脚構造体にカバーを取り付けるための取付部を形成することなく配線挿通空間を被覆するカバーを実現できる。
【００３９】
また、支持部材をスライド可能に構成する替わりに、支持部材を被覆部材の複数箇所のいずれかに選択的に取付可能な態様を採用しても、カバーの長手寸法を変更可能にして、カバーの側方にオプション部材の脚を配置する態様に対応することができる。
【００４０】
さらに、上述したような軟質部を設ける替わりに、前記被覆部材の一部に配線を挿通可能な配線挿通孔を複数個形成し、使用していない配線挿通孔を別途蓋体により被覆する態様を採用しても、必要な箇所の配線挿通孔以外を別途蓋体により被覆することにより、外観を損ねることなく配線を挿通可能な構成のカバーを実現できる。
【００４１】
加えて、以下に述べるような態様も考えられる。以下、上述した実施形態に対応する部位には、上述した実施形態におけるものと同一の符号及び名称を付す。
【００４２】
この態様に係るカバー１０は、図１９に示すような天板付き家具ＴＴに用いられる。この天板付き家具ＴＴは、２枚の天板ＴＴ１と、これら天板ＴＴ１を支持する脚構造体ＴＴ２とを有する。また、前記２枚の天板ＴＴ１の反使用端縁ＴＴ１ｂを対向させ、これら天板ＴＴ１の反使用端縁ＴＴ１ｂ間に配線を挿通可能なスリットＳＳを形成している。さらに、これら天板ＴＴ１の反使用端縁ＴＴ１ｂには、略矩形状の切り欠きＴＴ１ｃを形成している。この切り欠きＴＴ１ｃの開口端には蓋体受具ＴＴ１ｃ１を取り付けるようにしていて、この蓋体受具ＴＴ１ｃ１を介して蓋体ＴＴ１１を装着可能にしている。また、前記蓋体受具ＴＴ１ｃ１は、前記切り欠きＴＴ１ｃの開口縁の全域を覆うとともに、両端が前記切り欠きＴＴ１ｃの開口縁からはみ出してスリットＳＳ内に位置する。すなわち、前記蓋体受具ＴＴ１ｃ１は、請求項中の突出部材としての機能を有する。
【００４３】
一方、前記カバー１０は、前記図１９に示すように、前記スリットＳＳを被覆するものであって、分解斜視図を図２０に示すように、少なくとも前記スリットＳＳの開口上端面に係止される支持部材２と、前記支持部材２を両端部に取り付けた状態で前記スリットＳ内に配され該スリットＳを被覆する被覆部材３と、前記スリットＳの開口下端面に当接する抜け止め部材１０４とを具備する。また、このカバー１０は、上述した実施形態におけるカバー１と同様に、前記支持部材２の取付位置を変更し全体の長手寸法を変更することが可能である。
【００４４】
前記支持部材２及び前記被覆部材３は、上述した実施形態におけるカバー１におけるものと全く同様の構成及び機能を有する。
【００４５】
前記抜け止め部材１０４は、樹脂に代表される弾性力を有する材料によりその全体を一体に構成していて、平面図を図２１の（ａ）、正面図を同図の（ｂ）、側面図を同図の（ｃ）、及び図２１におけるｘ−ｘ断面図を図２２にそれぞれ示すように、また、カバー１０を天板付き家具ＴＴに取り付けた際の抜け止め部材１０４付近の部位の平面図を図２３、同部位の側面図を図２４にそれぞれ示すように、上方に開口するチャネル状をなし、前記被覆部材３の下方に取り付けられる。また、この抜け止め部材１０４は、前記被覆部材３の前後両側面にそれぞれ当接する側壁１０４１と、前記被覆部材３の底面に当接する底壁１０４２とを具備するとともに、前記側壁１０４１及び底壁１０４２により区画される空間である開口部１０４ｓに前記被覆部材３を挿入してなる。加えて、前記底壁１０４２にはネジ挿通孔１０４２ｘを形成していて、前記ネジ挿通孔１０４２ｘを前記被覆部材本体３１の雌ねじ孔３１ｙに重合させた状態で該雌ねじ孔３１ｙに雄ねじ部材をネジ止めしてこの抜け止め部材１０４を固定するようにしている。さらに、カバー１０を天板付き家具Ｔに取り付けた状態で前記スリットＳＳの側端面に弾性当接する第２係止部１０４ａを前記側壁４１から左右両側に突出させて設けている。この第２係止部１０４ａは、前記蓋体受具ＴＴ１ｃ１に当接して抜け止め部材１０４の前記スリットＳＳに対する長手方向の位置決めを行う機能をも有する。また、本実施形態では、前記切り欠きＴＴ１ｃの両側に１対の抜け止め部材１０４、１０４を配し、各抜け止め部材１０４、１０４の第２係止部１０４ａ、１０４ａを前記蓋体受具ＴＴ１ｃ１に当接させて、この抜け止め部材１０４、１０４を設けたカバー１０の長手方向の位置決めも行っている。なお、本態様においては、抜け止め部材１０４の一側端面に、前記側壁１０４１や前記第２係止部１０４ａ等を側方の空間から隠蔽する目隠し板１０４３を形成している。
【００４６】
また、カバー１０が上方に抜脱しようとする際には、第２係止部１０４ａが前記スリットＳＳの側端面に弾性当接しているので、該側端面との間に摩擦力が発生し、カバー１０が上方に抜脱しにくくなる。すなわち、この第２係止部１０４ａは、上述した実施形態における抜け止め部材４の第２係止部４ｘと同様に、このカバー１０が上方に抜脱する不具合の発生を防ぐ機能を有する。そして、この第２係止部１０４ａは、前記スリットＳＳの側端面に弾性当接することにより、抜け止め部材１０４のスリットＳＳに対する幅方向の位置決めを行う機能をも有する。
【図面の簡単な説明】
【００４７】
【図１】本発明の一実施形態に係るカバーを取り付けた天板付き家具の概略図。
【図２】同実施形態に係るカバー及びオプション部材を取り付けた天板付き家具の概略図。
【図３】同実施形態に係るカバーの要部の斜視図。
【図４】同実施形態に係るカバーの分解斜視図。
【図５】同実施形態に係るカバーの平面図。
【図６】同実施形態に係るカバーの正面図。
【図７】図５におけるｘ−ｘ断面図。
【図８】同実施形態に係るカバーの上支持部材の全体斜視図。
【図９】同実施形態に係るカバーの上支持部材の平面図、側面図、及び正面図。
【図１０】図９におけるａ−ａ断面図。
【図１１】同実施形態に係るカバーの下支持部材の全体斜視図。
【図１２】同実施形態に係るカバーの下支持部材の平面図、側面図、及び正面図。
【図１３】同実施形態に係るカバーの被覆部材本体の全体斜視図。
【図１４】同実施形態に係るカバーの被覆部材本体の正面図、側面図、及び底面図。
【図１５】同実施形態に係るカバーの被覆部材の軟質部の全体斜視図。
【図１６】同実施形態に係るカバーの被覆部材の軟質部の正面図、側面図、及び底面図。
【図１７】同実施形態に係るカバーの抜け止め部材の全体斜視図。
【図１８】同実施形態に係るカバーの抜け止め部材の平面図、側面図、正面図、及び中央横断面図。
【図１９】本発明の他の実施形態に係るカバーを取り付けた天板付き家具の概略図。
【図２０】同実施形態に係るカバーの分解斜視図。
【図２１】同実施形態に係るカバーの抜け止め部材の平面図、正面図、及び側面図。
【図２２】図２１におけるｘ−ｘ断面図。
【図２３】同実施形態に係るカバーを天板付き家具に取り付けた状態の抜け止め部材付近の部位の平面図。
【図２４】同実施形態に係るカバーを天板付き家具に取り付けた状態の抜け止め部材付近の部位の側面図。
【符号の説明】
【００４８】
１、１０…カバー
２…支持部材
２１…係止部
２３…位置決め部
２４…下支持部材（支持部）
３…被覆部材
３１…被覆部材本体
３２…軟質部
４、１０４…抜け止め部材
１０４ａ…第２係止部
Ｔ、ＴＴ…天板付き家具
Ｔ１、ＴＴ１…天板
ＴＴ１ｃ…切り欠き
Ｓ、ＳＳ…スリット
【図１】
2006167053.tif 000003
【図２】
2006167053.tif 000004
【図３】
2006167053.tif 000005
【図４】
2006167053.tif 000006
【図５】
2006167053.tif 000007
【図６】
2006167053.tif 000008
【図７】
2006167053.tif 000009
【図８】
2006167053.tif 000010
【図９】
2006167053.tif 000011
【図１０】
2006167053.tif 000012
【図１１】
2006167053.tif 000013
【図１２】
2006167053.tif 000014
【図１３】
2006167053.tif 000015
【図１４】
2006167053.tif 000016
【図１５】
2006167053.tif 000017
【図１６】
2006167053.tif 000018
【図１７】
2006167053.tif 000019
【図１８】
2006167053.tif 000020
【図１９】
2006167053.tif 000021
【図２０】
2006167053.tif 000022
【図２１】
2006167053.tif 000023
【図２２】
2006167053.tif 000024
【図２３】
2006167053.tif 000025
【図２４】
2006167053.tif 000026